(57)【要約】【課題】硝化菌の分解効率と成長速度を高めることができ濾過ブロック及び濾過装置を提供する。【解決手段】濾過ブロックの本体１は、少なくとも２個の表面１１と、２個の表面１１を貫通している少なくとも１個の収容設置空間１２とを有する。収容設置空間１２の内部には、少なくとも１個の壁面１３が面している。本体１は、立方体又は円柱体を呈しており、収容設置空間１２は、円形貫通孔形状又は方形貫通孔形状を呈している。このような構成によれば、限られた体積にあって、最大の貯水量と最大の硝化菌付着面積を実現できる。また、この濾過ブロックを使用する濾過装置は、水質の浄化効率を高めることができる。【選択図】図１
0003189842.tif 000002
【実用新案登録請求の範囲】
【請求項１】
本体を備える濾過ブロックであって、
前記本体は、少なくとも２個の表面と、前記２個の表面を貫通している少なくとも１個の収容設置空間とを有しており、
前記収容設置空間の内部には、少なくとも１個の壁面が面していることを特徴とする濾過ブロック。
【請求項２】
前記収容設置空間は、円形貫通孔形状又は方形貫通孔形状を呈していることを特徴とする請求項１に記載の濾過ブロック。
【請求項３】
前記本体は、立方体又は円柱体を呈していることを特徴とする請求項１又は２に記載の濾過ブロック。
【請求項４】
濾過槽と、請求項１〜３のいずれか一項に記載の濾過ブロックとを備える濾過装置であって、
前記濾過槽内には、少なくとも１個の前記濾過ブロックが配置され、
前記濾過槽は、少なくとも１個の入水口、出水口、及び水流動力送出口を有することを特徴とする濾過装置。
【請求項５】
前記入水口は、濾過が必要な汚水を引き入れ、
前記水流動力送出口は、汚水内で前記濾過ブロックにぶつけられる水流又は気泡を送り出し、
前記出水口は、濾過が終わった汚水を送り出すことを特徴とする請求項４に記載の濾過装置。
【考案の詳細な説明】
【技術分野】
【０００１】
本考案は、濾過ブロック及び濾過ブロックを使用する濾過装置に関する。
【背景技術】
【０００２】
一般の水生動物飼育用又は養殖用の濾過装置は、物理濾過と生物濾過に分けられる。物理濾過は、水中の残餌及び魚類の排泄物の除去を主とする。生物濾過は、生物球又は生物塊を含み、硝化菌を培養して水質を浄化するものであり、生物濾過装置の効果がより優れている。
【０００３】
特許文献１に開示された「水質浄化用の生物濾過材」は、中空殼体及び複数の内孔を備えるパイプ部材を備える。中空殼体の周囲壁には、内部まで貫通する複数の孔が設置される。パイプ部材は、延伸して中空殼体内に進入する管体部を備える。これにより、硝化菌等生物菌類の成長と繁殖に適した空間が形成されている。また、中空殼体の一部の孔内には、さらに内孔を備える連接構成部材が接続されている。これにより、多数の中空殼体を相互に隣接させて直列接続し、又は積み重ねることにより、任意のサイズの生物濾過材群体を構成し、菌類及び雑質が付着できる、より大きな表面積を有するようにする。これによって、生物濾過効果が向上される。
【０００４】
特許文献２に開示された「水生動物用多孔性グラスファイバーセラミック濾過材」は、充填処理された多数の多孔性グラスファイバーセラミック単体により構成されている。単体の構造は、断面が実心円形状を呈する楕円形体であり、外周上には、放射状を呈する多数の細長い溝又は空心円形状を備える短筒形体が設置されている。また、その外周上には、尖った形状の翼片及び相対する孔槽が多数配列されている。このようにして、表面には孔が多くなり、好気活性菌と嫌気活性菌が付着して成長し、繁殖するためには最良の空間が提供される。これにより、水中の有毒なアンモニア（ＮＨ3）を無害な硝酸（ＮＯ3）に転換し、硝酸を窒素（Ｎ2）に転換して揮発させることができる。この二種の活性菌の培養作用により、水質は良好に保たれ、しかも黄変しにくくなり、ひいては水換えを遅くすることができる。
【０００５】
また、特許文献３に開示された「便器水の菌培養装置」は、アンモニアを消すことができる硝化菌を培養可能な装置である。この装置は、内部に硝化菌を入れて培養可能な多数のバイオ槽を形成する発生体を備える。発生体の本体は、遠赤外線を発生可能な材質であるため、発生体は、水の分子を活性化させることができる。また、硝化菌は良好な環境中で培養されるため、便器からフラッシュされる水は、アンモニアを分解することができ、自動除臭の効果を達成することができる。
【先行技術文献】
【特許文献】
【０００６】
【特許文献１】台湾特許第Ｍ２８０８５５号明細書
【特許文献２】台湾特許第２９３２４３号明細書
【特許文献３】台湾特許第４６３８５４号明細書
【考案の概要】
【考案が解決しようとする課題】
【０００７】
しかし、上述した発明は欠点があり、改善する必要がある。その欠点は下記の通りである。
【０００８】
（１）特許文献１の生物濾過材の内部は、円形中空状を呈しており、有効に水分を蓄積することができない。しかも、生物濾過材の内外の各部位は、水中の溶解酸素又はアンモニアと均等に全面性接触を行うことができない。そのため、利用される硝化菌培養の面積には限界があり、濾過材の浪費に繋がる。しかも、内外の水分の交換は容易でないため、溶解酸素効果も不充分である。
【０００９】
（２）特許文献２の濾過材には、放射状に配列する尖った形状の翼片及び相対する孔槽が多数設置されているため、その構造形状は比較的複雑である。また、このため、多数の生物濾過材を相互に直列接続して組み合わせて使用することができない。
【００１０】
（３）特許文献２の濾過材は、体積が大きく、用いる材料も多いため、これを設置するためには、濾過空間が非常に大きなスペースを占拠してしまう。
【００１１】
（４）特許文献２の濾過材は、最良の溶解酸素効果を達成することができないため、使用上の効果は理想的ではない。
【００１２】
（５）特許文献３の生物濾過材は、真っ直ぐな管型であるため、生物濾過材外の水は、二端から進入することができない。そのため、内外の水を交換することができず、同様に、水中の溶解酸素又はアンモニアと全面的に接触させることができないため、その酸素溶解効果は劣る。よって、硝化菌培養に利用される面積には限界があり、使用効果は理想的でない。
【００１３】
本考案は、上述の問題に鑑みてなされたものであり、その目的は、汚水中でローリングし、硝化菌付着の面積を拡大し、これにより硝化菌の分解効率と成長速度を高めることができる濾過ブロック及び濾過ブロックを使用する濾過装置を提供することにある。
【課題を解決するための手段】
【００１４】
本考案による濾過ブロックは、少なくとも２個の表面と、２個の表面を貫通している少なくとも１個の収容設置空間とを有する本体を備えている。収容設置空間の内部には、少なくとも１個の壁面が面している。
【００１５】
また、本考案による濾過ブロックを使用する濾過装置は、濾過槽と濾過ブロックとを備え、濾過槽内には、少なくとも１個の濾過ブロックが配置され、濾過槽は、少なくとも１個の入水口、出水口、及び水流動力送出口を有している。
【００１６】
本考案の効果は下記の通りである。
（１）本考案の本体は、水流又は気泡の衝突を受けバランスを崩し、汚水中で持続的にローリングし、汚水と全面的に完全に接触する。このため、硝化菌の水中アンモニアに対する分解効率を高め、また硝化菌の成長を促進させることもできる。
【００１７】
（２）本考案は、汚水中に酸素を注入できるため、硝化菌は充分に溶解酸素を得ることができ、成長が促進され、汚水浄化を迅速に、濾過時の分解効率を高めることができる。
【００１８】
（３）本考案は、各本体の収容設置空間内部に面する少なくとも１個の壁面を利用し、限られた体積下で、最大の貯水量と最大の硝化菌付着面積とを実現することができる。
【００１９】
（４）本考案の濾過装置は、複数の濾過ブロックを汚水中でローリングさせることで、濾過ブロックを汚水と全面的に完全接触させ、硝化菌の水中アンモニアに対する分解効率を高め、硝化菌の迅速な成長を達成することができる。
【図面の簡単な説明】
【００２０】
【図１】本考案の第一実施形態の濾過ブロックを示す斜視図である。
【図２】本考案の第一実施形態の濾過装置の使用時を示す模式図である。
【図３】本考案の第二実施形態の濾過ブロックを示す斜視図である。
【図４】本考案の第二実施形態の濾過装置の使用時を示す模式図である。
【図５】本考案の第三実施形態の濾過ブロックを示す斜視図である。
【図６】本考案の第三実施形態の濾過装置の使用時を示す模式図である。
【図７】本考案の第四実施形態の濾過ブロックを示す斜視図である。
【図８】本考案の第四実施形態の濾過装置の使用時を示す模式図である。
【考案を実施するための形態】
【００２１】
本考案の実施形態による濾過ブロック及び濾過ブロックを使用する濾過装置を図面に基づいて説明する。
【００２２】
本考案の第一実施形態による濾過ブロックを図１に示す。図１に示すように、本実施形態の濾過ブロックは、立方体を呈する本体１を有する。
【００２３】
本体１は、少なくとも２個の表面１１を有する。本体１には、円形の貫通孔の形状を呈する少なくとも１個の収容設置空間１２が形成されている。収容設置空間１２は、２個の表面１１を貫通している。収容設置空間１２内部には、水が充填可能である。収容設置空間１２内部には、少なくとも１個の壁面１３が面しており、収容設置空間１２は、壁面１３に硝化菌を付着させて収容することができる。
【００２４】
本考案の第一実施形態の濾過装置は、図１及び図２に示すように、濾過槽Ａ内に、適当な数量の本体１が入れられている。入水口Ａ１から、濾過が必要な汚水Ｂを引き入れ、出水口Ａ２から濾過が終わった汚水Ｂを送り出す。汚水Ｂを引き入れる時には、先に酸素溶解の処理を行い、汚水Ｂの酸素含有率を高める。
【００２５】
次に、少なくとも１個の水流動力送出口Ａ３から、水流又は気泡を送出する。水流又は気泡は、汚水Ｂ内で各本体１に衝突する。本体１は、水流又は気泡の衝突を直接的に受けることで、押されてバランスを崩すため、汚水Ｂ中で持続的にローリングする。
【００２６】
さらに、収容設置空間１２内部には水が充填可能であるため、汚水Ｂは各収容設置空間１２を持続的に通過する。これにより、収容設置空間１２内の壁面１３上で培養された硝化菌は、充分に汚水Ｂと接触する。壁面１３上の各部位に存在する硝化菌は、本体１がローリングし、汚水Ｂと充分に接触する時に、汚水Ｂ中に含まれるアンモニアを完全に分解する。これにより、水質を浄化することができる。さらに、硝化菌は、汚水Ｂ中の溶解酸素を吸収でき、その分解効率と成長速度を速めることができる。
【００２７】
すなわち、本考案は、本体１上に設置された貫通状の収容設置空間１２を利用しており、収容設置空間１２に水を充填すること、及び、収容設置空間１２により硝化菌付着の面積を拡大することによって、水質浄化の効率を高めることができる。
【００２８】
本考案の第二実施形態濾過ブロックは、図３に示すように、立方体を呈する本体２を有する。本体２は、少なくとも２個の表面２１を有する。本体２には、少なくとも１個の方形の貫通孔形状を呈する収容設置空間２２が形成されている。収容設置空間２２は、２個の表面２１を貫通している。収容設置空間２２内部には、水を充填可能である。収容設置空間２２内部には、少なくとも１個の壁面２３が配置されている。本実施形態では、方形貫通孔形状の収容設置空間２２内には、４個の壁面２３が面しており、収容設置空間２２は、４個の壁面２３に硝化菌を付着させて収容することができる。
【００２９】
本考案の第二実施形の態濾過装置は、図３及び図４に示すように、濾過槽Ａ内に、適当な数量の本体２が入れられている。入水口Ａ１から、濾過が必要な汚水Ｂを引き入れ、濾過が終わった汚水Ｂを、出水口Ａ２から送り出す。
【００３０】
次に、少なくとも１個の水流動力送出口Ａ３から水流又は気泡を送り出す。水流又は気泡は、汚水Ｂ内で各本体２にぶつけられる。収容設置空間２２内部に充填される水を利用することにより、収容設置空間２２内の壁面２３上に培養されている硝化菌は、汚水Ｂと十分に接触でき、汚水Ｂ中に含まれるアンモニアを完全に分解する。また、硝化菌は、その分解効率及び成長速度を高めることができ、これにより水質浄化の効率を向上させることができる。
【００３１】
本考案の第三実施形態の濾過ブロックは、図５に示すように、円柱体を呈する本体３を有する。本体３は、少なくとも２個の表面３１を有する。本体３には、少なくとも１個の円形の貫通孔形状を呈する収容設置空間３２が形成されている。収容設置空間３２は、２個の表面３１を貫通している。収容設置空間３２内部には、水が充填可能である。収容設置空間３２内部には、少なくとも１個の壁面３３が面しており、収容設置空間３２は、壁面３３に硝化菌を付着させて収容することができる。
【００３２】
本考案の第三実施形態の濾過装置では、図５及び図６に示すように、濾過槽Ａ内に、適当な数量の本体３を入れられている。入水口Ａ１から、濾過が必要な汚水Ｂを引き入れ、濾過が終わった汚水Ｂは、出水口Ａ２から送り出す。
【００３３】
次に、少なくとも１個の水流動力送出口Ａ３から、水流又は気泡を送り出す。水流又は気泡は、汚水Ｂ内で各本体３にぶつけられる。収容設置空間３２内部に充填される水を利用することにより、収容設置空間３２内の壁面３３上に培養されている硝化菌は、汚水Ｂと十分に接触でき、汚水Ｂ中に含まれるアンモニアを完全に分解する。また、硝化菌は、その分解効率及び成長速度を高めることができ、これにより水質浄化の効率を向上させることができる。
【００３４】
本考案の第四実施形態の濾過ブロックは、図７に示すように、円柱体を呈する本体４を有する。本体４は、少なくとも２個の表面４１を有する。本体４には、少なくとも１個の方形の貫通孔形状を呈する収容設置空間４２が形成されている。収容設置空間４２は、２個の表面４１を貫通している。収容設置空間４２内部には、水が充填可能である。収容設置空間４２内部には、少なくとも１個の壁面４３が配置されている。本実施形態では、方形貫通孔形状の収容設置空間４２内には、４個の壁面４３が面しており、収容設置空間４２は、４個の壁面４３に硝化菌を付着させて収容することができる。
【００３５】
本考案の第四実施形態の濾過装置では、図７及び図８に示すように、濾過槽Ａ内に、適当な数量の本体４が入れられている。入水口Ａ１から、濾過が必要な汚水Ｂを引き入れ、濾過が終わった汚水Ｂは、出水口Ａ２から送り出す。
【００３６】
次に、少なくとも１個の水流動力送出口Ａ３から、水流又は気泡を送り出す。水流又は気泡は、汚水Ｂ内で各本体４にぶつけられる。収容設置空間４２内部に充填される水を利用することにより、収容設置空間４２内の壁面４３上に培養されている硝化菌は、汚水Ｂと十分に接触でき、汚水Ｂ中に含まれるアンモニアを完全に分解する。また、硝化菌は、その分解効率及び成長速度を高めることができ、これにより水質浄化の効率を向上させることができる。
【００３７】
上述の実施形態の説明を総合すると、本考案の操作、使用、及び本考案が生じさせる効果を充分理解することができる。但し、以上に述べた実施形態は単に本考案の好ましい実施形態であり、これによって本考案の実用新案登録請求の範囲を限定することはない。即ち本考案の実用新案登録請求の範囲及び明細書の内容に基づいて、同等効果を有する簡単な変化及び修飾は、全て、本考案の範囲に属するものとする。
【符号の説明】
【００３８】
１  本体
１１  表面
１２  収容設置空間
１３  壁面
２  本体
２１  表面
２２  収容設置空間
２３  壁面
３  本体
３１  表面
３２  収容設置空間
３３  壁面
４  本体
４１  表面
４２  収容設置空間
４３  壁面
Ａ  濾過槽
Ａ１  入水口
Ａ２  出水口
Ａ３  水流動力送出口
Ｂ  汚水
【図１】
0003189842.tif 000003
【図２】
0003189842.tif 000004
【図３】
0003189842.tif 000005
【図４】
0003189842.tif 000006
【図５】
0003189842.tif 000007
【図６】
0003189842.tif 000008
【図７】
0003189842.tif 000009
【図８】
0003189842.tif 000010